(57)【要約】【課題】オーディオ信号の定位を、スピーカの配置方法に合わせて、簡単に設定できるようにする。【解決手段】表示部１３は、オーディオ信号の定位を制御するパラメータ情報を設定する第１設定画面１００を表示する。第１設定画面１００は、第１座標系に対応付けられた第１座標平面１０５を備え、第１座標系に従う形式で前記パラメータ情報を可変設定する。第１設定画面１００で設定されたパラメータ情報を、前記第１座標系とは異なる第２座標系に従う形式に変換する。表示部１３は、変換されたパラメータ情報を第２設定画面２００に表示する。第１設定画面２００は、第２座標系に対応付けられた第２座標平面２０５を備え、第２座標系に従う形式で前記パラメータ情報を可変設定する。【選択図】  図１
2015179986.tif 000002
【特許請求の範囲】
【請求項１】
オーディオ信号の定位を制御するためのパラメータ情報を、互いに異なる少なくとも２つの座標系のうち１つの座標系に従う形式で設定する設定部と、
前記設定部で設定されたパラメータ情報を、前記少なくとも２つの座標系のうち他の座標系に従う形式に変換する変換部と
を備えるオーディオ定位設定装置。
【請求項２】
前記設定部は、ユーザ操作によって前記パラメータ情報を可変設定しうるように構成されており、
前記変換部によって変換された前記他の座標系に従う形式の前記パラメータ情報を、前記設定部を介したユーザ操作によって更に変更しうる、請求項１に記載のオーディオ定位設定装置。
【請求項３】
前記設定部は、ＧＵＩ画面を用いてユーザ操作によって前記パラメータ情報を設定及び変更し得るように構成されており、
前記ＧＵＩ画面は、前記少なくとも２つの座標系の前記１つの座標系に従って前記パラメータ情報を設定するとき、該１つの座標系に特有の設定画面を表示し、また、
前記変換部によって前記パラメータ情報が前記他の座標系に従う形式に変換されたとき、該他の座標系に特有の設定画面を表示するように切り替えられる、請求項２に記載のオーディオ定位設定装置。
【請求項４】
前記互いに異なる少なくとも２つの座標系のうち一方は直交座標系であり、前記互いに異なる少なくとも２つの座標系の他方は極座標系であることを特徴とする請求項１乃至３のいずれかに記載のオーディオ定位設定装置。
【請求項５】
オーディオ信号の定位を制御するためのパラメータ情報を、互いに異なる少なくとも２つの座標系のうち１つの座標系に従う形式で設定するステップと、
前記設定部で設定されたパラメータ情報を、前記少なくとも２つの座標系のうち他の座標系に従う形式に変換するステップと
を備えるオーディオ定位設定方法。
【請求項６】
オーディオ信号の定位を制御するためのパラメータ情報を、互いに異なる少なくとも２つの座標系のうち１つの座標系に従う形式で設定するステップと、
前記設定部で設定されたパラメータ情報を、前記少なくとも２つの座標系のうち他の座標系に従う形式に変換するステップと
を、コンピュータに実行させるプログラム。
【発明の詳細な説明】
【技術分野】
【０００１】
この発明は、オーディオ信号の定位を制御するためのパラメータ情報を設定するオーディオ定位設定装置、方法、及び、プログラムに関し、特に、サラウンド再生用の複数チャンネルのオーディオ信号の定位を制御するためのパラメータ情報を設定することに関する。
【背景技術】
【０００２】
従来、デジタル信号処理により１又は複数チャンネルのオーディオ信号を処理するデジタルオーディオミキシング装置（以下単に「ミキサ」とも言う)が知られる。従来のミキサにおいて、サラウンド再生用の複数チャンネルのオーディオ信号の定位を設定したり、該複数チャンネルのオーディオ信号の定位を任意の軌道に従って自動的に移動させたりするサラウンドパン機能があった（例えば非特許文献１を参照）。なお、以下では「チャンネル」を「ｃｈ」と略記する。
【０００３】
上記非特許文献１は、オーディオ信号の定位を制御するためのパラメータ情報を設定するためのグラフィカルユーザインタフェース（ＧＵＩ）として、図９に示すような、直交座標系の座標平面６０５上の点７００の位置に応じてパラメータ情報を設定するように構成された設定画面６００を開示している。前記パラメータ情報は、座標平面６０５上の横軸方向（図９において左右方向）の値と縦軸方向（図９において上下方向）の値との２値で、オーディオ信号の定位を表現する。図９は、一例として、いわゆる「５．１ｃｈサラウンド」のサラウンド再生環境を想定した設定画面６００を示す。この場合、略正方形状の座標平面６０５の一辺（図９において上側の一辺）に沿って、左端に前方左ｃｈ用スピーカ５００、中央に前方中央ｃｈ用スピーカ５０１、及び、右端に前方右ｃｈ用スピーカ５０２の３つのスピーカを対応付け、前記辺に対向する一辺（図９において下側の一辺）に沿って、左端に左後方ｃｈ用スピーカ５０３、及び、右端に右後方ｃｈ用スピーカ５０４を対応付けることにより、前記再生環境が表現される。なお、低域効果音ｃｈ（図９において「ＬＦＥ」。ＬＦＥはLow Frequency Effectの略）用のスピーカ５０５については、定位を考慮しなくてよいので、座標平面６０５に対応付ける必要はない。
【０００４】
しかし、上記の非特許文献１の方法では、設定画面６００に表現されたスピーカ５００〜５０４のスピーカ配置と、実際に使用するスピーカの配置とが異なる場合に、パラメータ値を設定し難い、という問題があった。例えば、ITU-R BS.775-3規格は、５．１ｃｈサラウンド再生用のスピーカの理想的な配置方法を規格化している。それは、前方左ｃｈ、前方中央ｃｈ、前方右ｃｈ、後方左ｃｈ、及び後方右ｃｈ用の５つのスピーカを、聴取位置を中心とする円周上に配置する方法である（非特許文献２を参照）。この規格に従って略円形状に複数スピーカを配置した再生環境におけるサラウンドパンの位置を、図９に示すような設定画面６００を用いて設定する場合、該設定画面６００に表現された５つのスピーカ５００〜５０４の位置と前記略円形状のスピーカ配置とがかけ離れているため、オペレータにとって、意図通りにオーディオ信号の定位を設定することが困難である。
【０００５】
そもそも、サラウンド再生環境における複数チャンネルのオーディオ信号の定位は、前記聴取位置で聴取される音の方向感覚や距離感を実現するパラメータである。従って、上記の非特許文献１に記載されたような、直交座標系に従う形式で的確に表現することが難しい、という問題もある。
【０００６】
従来、複数チャンネルのオーディオ信号を用いたサラウンド再生を行うための技術の１つとして、バーチャルサラウンド技術がある。これは、オーディオ信号の音特性を制御して、仮想的な音源を生成することにより、仮想的なサラウンド空間を作り出すものである。例えば特許文献１には、実際のスピーカ位置情報と聴取位置情報とを取得し、取得したスピーカ位置情報と聴取位置情報と仮想音源の定位情報とに基づいて、各スピーカに供給するオーディオ信号の分配比を算出して、適切な音場を形成することが記載されている。また、特許文献２は、複数のスピーカの位置情報と、それらスピーカが出力するオーディオ信号の受音点の位置情報と、仮想音源の位置情報に基づいて、オーディオ信号を３次元的に定位することを記載している。
【０００７】
特許文献１，２のバーチャルサラウンド技術を用いれば、再生対象の音源で想定されている複数スピーカの配置方法と、その音源の再生に実際に使用する複数スピーカの配置とが異なる場合にも、適切なサラウンド効果を得ることができるだろう。しかし、特許文献１，２のバーチャルサラウンド技術は、オーディオ信号の再生に際して仮想的なサラウンド空間を作り出すことを目的としており、オーディオ信号の定位を制御するためのパラメータ情報の設定に関するものではない。従って、例えば非特許文献１に示すような設定画面の使い勝手を改善することはできない。また、特許文献１，２のバーチャルサラウンド技術は、テスト信号を用いて実際のスピーカの位置や実際の聴取位置を測定したり、測定結果を用いて複雑な演算を行ったりする必要があり、処理が複雑である。
【先行技術文献】
【特許文献】
【０００８】
【特許文献１】特開２００９‐４４２６１号公報
【特許文献２】特開２００９‐３８６４１号公報
【非特許文献】
【０００９】
【非特許文献１】「ＹＡＭＡＨＡ  ＰＭ５Ｄ  ＤＩＧＩＴＡＬ  ＭＩＸＩＮＧ  ＣＯＮＳＯＬＥ  ＤＳＰ５Ｄ  ＤＩＧＩＴＡＬ  ＭＩＸＩＮＧ  ＳＹＳＴＥＭ  ＰＭ５Ｄ／ＰＭ５Ｄ−ＲＨ  Ｖ２  ＤＳＰ５Ｄ  取扱説明書」、[ｏｎｌｉｎｅ]、ヤマハ株式会社、２００４年発行、［平成２５年７月８日検索］、インターネット〈URL: http://www2.yamaha.co.jp/manual/pdf/pa/japan/mixers/pm5dv2_om_ja_h0.pdf〉
【非特許文献２】「Ｒｅｃｏｍｍｅｎｄａｔｉｏｎ ＩＴＵ-Ｒ ＢＳ．７７５-３（０８/２０１２）  Ｍｕｌｔｉｃｈａｎｎｅｌ ｓｔｅｒｅｏｐｈｏｎｉｃ ｓｏｕｎｄ ｓｙｓｔｅｍ ｗｉｔｈ ａｎｄ ｗｉｔｈｏｕｔ ａｃｃｏｍｐａｎｙｉｎｇ ｐｉｃｔｕｒｅ」、[ｏｎｌｉｎｅ]、Ｉｎｔｅｒｎａｔｉｏｎａｌ Ｔｅｌｅｃｏｍｍｕｎｉｃａｔｉｏｎ Ｕｎｉｏｎ、２０１２年８月発行、［平成２５年７月８日検索］、インターネット〈URL: http://www.itu.int/dms_pubrec/itu-r/rec/bs/R-REC-BS.775-3-201208-I!!PDF-E.pdf〉
【発明の概要】
【発明が解決しようとする課題】
【００１０】
本発明は上述の点に鑑みてなされたもので、オーディオ信号の定位を制御するためのパラメータ情報を設定する機能の使い勝手を向上し、該パラメータ情報を簡単に設定できるようにしたオーディオ定位設定装置、方法及びプログラムを提供することを目的とする。
【課題を解決するための手段】
【００１１】
この発明は、オーディオ信号の定位を制御するためのパラメータ情報を、互いに異なる少なくとも２つの座標系のうち１つの座標系に従う形式で設定する設定部と、前記設定部で設定されたパラメータ情報を、前記少なくとも２つの座標系のうち他の座標系に従う形式に変換する変換部とを備えるオーディオ定位設定装置である。
【００１２】
上記の発明に係るオーディオ定位設定装置は、互いに異なる少なくとも２つの座標系のうち１つの座標系に従う形式で設定されたパラメータ情報を、他の座標系に従う形式に変換できるように構成されているので、前記２つの座標系のいずれに従う形式でも、オーディオ信号の定位を制御するためのパラメータ情報を設定できる。このため、従来の技術に比べて、多様なスピーカ配置方法や再生環境に合わせて、簡単に、前記パラメータ情報を設定することができる。従って、オーディオ信号の定位を制御するためのパラメータ情報を設定する機能の使い勝手が向上する。例えば、オーディオ定位設定装置のオペレータは、或る座標系で設定されたパラメータ値を、例えば実際に使用するスピーカの配置方法により近い別の座標系に従う形式に変換できる。
【００１３】
一実施形態に係るオーディオ定位設定装置において、前記設定部は、ユーザ操作によって前記パラメータ情報を可変設定しうるように構成されており、前記変換部によって変換された前記他の座標系に従う形式の前記パラメータ情報を、前記設定部を介したユーザ操作によって更に変更しうる。更に、一実施形態に係るオーディオ定位設定装置において、前記設定部は、ＧＵＩ画面を用いてユーザ操作によって前記パラメータ情報を設定及び変更し得るように構成されており、前記ＧＵＩ画面は、前記少なくとも２つの座標系の前記１つの座標系に従って前記パラメータ情報を設定するとき、該１つの座標系に特有の設定画面を表示し、また、前記変換部によって前記パラメータ情報が前記他の座標系に従う形式に変換されたとき、該他の座標系に特有の設定画面を表示するように切り替えられる。
【００１４】
また、この発明は、オーディオ信号の定位を制御するためのパラメータ情報を、互いに異なる少なくとも２つの座標系のうち１つの座標系に従う形式で設定するステップと、前記設定部で設定されたパラメータ情報を、前記少なくとも２つの座標系のうち他の座標系に従う形式に変換するステップとを備えるオーディオ定位設定方法の発明として構成及び実施することができる。或いは、オーディオ信号の定位を制御するためのパラメータ情報を、互いに異なる少なくとも２つの座標系のうち１つの座標系に従う形式で設定するステップと、前記設定部で設定されたパラメータ情報を、前記少なくとも２つの座標系のうち他の座標系に従う形式に変換するステップとを、コンピュータに実行させるプログラムの発明として構成及び実施することができる。
【発明の効果】
【００１５】
この発明によれば、オーディオ信号の定位を制御するためのパラメータ情報を設定する機能の使い勝手を向上し、該パラメータ情報を簡単に設定できるという優れた効果を奏する。
【図面の簡単な説明】
【００１６】
【図１】本発明に係るオーディオ定位設定装置の構成を示すブロック図。
【図２】本発明に係るオーディオ定位設定装置を適用したデジタルオーディオミキシング装置において、オーディオ信号の定位を制御するためのパラメータ情報を設定するための設定画面の一例であって、（ａ）は第１座標系に従う形式で前記パラメータ情報を設定する第１設定画面を示す図、（ｂ）は第２座標系に従う形式で前記パラメータ情報を設定するための第２設定画面を示す図。
【図３】本発明に係るオーディオ定位設定装置を適用したデジタルオーディオミキシング装置の電気的ハードウェア構成例を示すブロック図。
【図４】図３のデジタルオーディオミキシング装置における信号処理機能の構成を示すブロック図。
【図５】第１座標系に従う形式の第１パラメータ値を、第２座標系に従う形式の第２パラメータ値に変換する処理を説明するための図。
【図６】（ａ）は第１設定画面における点Ａ〜点Ｆの角度を説明する図、（ｂ）は第２設定画面における点Ａ〜点Ｆの角度を説明する図。
【図７】第１座標系で表された角度θ´と第２座標系で表された角度θとの対応関係を規定する関数（ｆ）の一例を示すグラフ。
【図８】前記関数（ｆ）の変更例を説明する図。
【図９】従来のサラウンドパン設定画面を説明する図。
【発明を実施するための形態】
【００１７】
図１は本発明に係るオーディオ定位設定装置の構成を示すブロック図である。オーディオ定位設定装置１は、オーディオ信号の定位を制御するためのパラメータ情報を、互いに異なる少なくとも２つの座標系のうち１つの座標系に従う形式で設定する設定部２と、前記設定部で設定されたパラメータ情報を、前記少なくとも２つの座標系のうち他の座標系に従う形式に変換する変換部３とを具備する。設定部２は、或る座標系で表現された前記パラメータ情報を設定する。変換部３は、前記設定部２により設定された前記或る座標系で表現されたパラメータ情報を、他の座標系に従う形式に変換する。従って、このオーディオ定位設定装置１によれば、設定部２により設定された或る座標系に従う形式のパラメータ情報を、オーディオ信号の定位制御に用いることもできるし、また、変換部３により変換された他の座標系に従う形式のパラメータ情報を、オーディオ信号の定位制御に用いることもできる。
【００１８】
以下、添付図面を参照して、本発明に係るオーディオ定位設定装置１をデジタルオーディオミキシング装置１０に適用した一実施形態について説明する。
【００１９】
デジタルオーディオミキシング装置（以下単に「ミキサ」とも言う)１０は、デジタル信号処理により１又は複数チャンネルのオーディオ信号を処理する装置であり、機能の１つとして「サラウンドパン機能」を備える。サラウンドパン機能は、サラウンド再生用の複数チャンネルのオーディオ信号の定位を設定したり、オーディオ信号の定位を任意の軌道に沿って自動的に移動させたりする機能である。以下の説明では、「サラウンド再生用の複数チャンネルのオーディオ信号の定位」を、「サラウンドパン」と称する。また、「サラウンド再生用の複数チャンネルのオーディオ信号」として、いわゆる「５．１ｃｈサラウンド」再生用の６ｃｈのオーディオ信号を想定する。なお、「チャンネル」という用語は「ｃｈ」と略記する。本実施例のミキサ１０は、互いに異なる少なくとも２つの座標系のうち１つの座標系で設定したパラメータ情報を、他の座標系で表現されたパラメータ情報に変換できるように構成されている。
【００２０】
図２にミキサ１０にてオペレータがサラウンドパンを設定するための設定画面の一例を示す。図２（ａ）は、サラウンドパンを制御するためのパラメータ情報を、互いに異なる少なくとも２つの座標系のうち１つの座標系に従う形式で設定する設定部の一例であり、ミキサ１０の表示部（図３において符号１３で示す）に表示される第１設定画面１００の例を示す。第１設定画面１００は、ユーザ操作によってパラメータ情報を設定及び変更し得るＧＵＩ画面である。
【００２１】
第１設定画面１００には、直交座標系（これを「第１座標系」という）に対応付けられた第１座標平面１０５と、サラウンドパンの現在位置を示す定位画像３００とが表示される。第１座標平面１０５は、再生環境を正方形で表現している。この第１座標平面１０５が表現する再生環境は、座標平面１０５の周囲沿って５．１ｃｈサラウンド用の５つのスピーカを配置するスピーカ配置方法を想定する。スピーカ配置方法は、具体的には、図２（ａ）において上側の辺の左端に、前方左（「ＬＦ」）ｃｈ用スピーカ４００、その中央に前方中央（「ＦＣ」；Front Centerの略）ｃｈ用スピーカ４０１、及び、その右端に前方右（「ＦＲ」；Front Right）ｃｈ用スピーカ４０２を一列に配置するとともに、それに対向する一辺（図において下側の辺）の左端に後方左（「ＳＬ」；Surround Leftの略）ｃｈ用スピーカ４０３、同右端に後方右（「ＳＲ」；Surround Rightの略）ｃｈ用スピーカ４０４を配置する、というものである。第１座標平面１０５の周囲には、前記のスピーカ配置方法に対応付けて、各スピーカ４００〜４０４を示す画像が表示される。なお、低域効果音（「ＬＦＥ」と記す。ＬＦＥはLow Frequency Effectの略）ｃｈはサラウンドパンに含まれないので、ＬＦＥスピーカ４０５を第１座標平面１０５に対応付ける必要はない。
【００２２】
第１設定画面１００は、第１座標平面１０５における定位画像３００の現在位置を示す座標に応じて、サラウンドパンを制御するためのパラメータ情報を設定するように構成される。第１設定画面１００で設定されるパラメータ情報は、直交座標系（第１座標系）に従う形式、すなわち、横軸１１０方向の値ｘと、縦軸１２０方向の値ｙとの２値により、サラウンドパンの位置を表現する。第１座標系で表現されたパラメータ情報を、「第１パラメータ値」と称する。オペレータは、第１設定画面１００を用いた操作によって、第１座標平面１０５における定位画像３００の位置を変更することにより、サラウンドパンを制御するためのパラメータ情報を設定及び変更できる。従って、オペレータは、各スピーカ４００〜４０４の位置と定位画像３００の位置との相互関係を視覚的に確認しながら、サラウンドパンの位置を制御できる。
【００２３】
図２（ｂ）は、サラウンドパンを制御するためのパラメータ情報を、互いに異なる少なくとも２つの座標系のうち他の座標系に従う形式で設定する設定部の一例であり、ミキサ１０の表示部（図３において符号１３）に表示される第２設定画面２００の例を示す。第２設定画面２００は、ユーザ操作によってパラメータ情報を設定及び変更し得るＧＵＩ画面である。
【００２４】
第２設定画面２００には、極座標系（これを「第２座標系」という）に対応付けられた第２座標平面２０５と、サラウンドパンの現在位置を示す定位画像３００とが表示される。第２座標平面２０５は再生環境を円形で表現している。この第２座標平面２０５が表現する再生環境は、例えばITU-R BS.775-3規格に規定されている５．１ｃｈサラウンド再生用のスピーカ配置方法を想定する。そのスピーカ配置方法は、具体的には、５つのスピーカ４００〜４０４を、聴取位置２１０を中心とする円周上に配置し、且つ、該５つのスピーカ４００〜４０４のうち、ＦＣｃｈ用スピーカ４０１を聴取位置２１０の正面（基準線２２０から０度の位置）に、ＬＦｃｈ用スピーカ４００を基準線２２０から左側へ３０度の位置に、ＦＲ用スピーカ４０２を基準線２２０から右側へ３０度の位置に、ＳＬｃｈ用スピーカ４０３を基準線２２０から左側へ１００度から１２０度の範囲内に、また、ＳＲｃｈ用スピーカ４０４が基準線２２０から右側へ１００度から１２０度の範囲内に、それぞれ配置する、というものである。第２座標平面２０５の周囲には、前記のスピーカ配置方法に対応付けて、各スピーカ４００〜４０４を示す画像が表示される。なお、第２設定画面２００においても、ＬＦＥｃｈのスピーカ４０５の配置位置は、第２座標平面２０５に対応付ける必要はない。
【００２５】
第２設定画面２００は、第２座標平面２０５における定位画像３００の現在位置を示す座標に応じて、サラウンドパンを制御するためのパラメータ情報を設定するように構成される。第２設定画面２００で設定されるパラメータ情報は、極座標系（第２座標系）に従う形式、すなわち、原点２１０からの距離ｒと、基準線２２０からの角度θの２値により、サラウンドパンの位置を表現する。角度θは例えば基準線２２０から反時計回り方向を正の値とする。第２座標系で表現されたパラメータ情報を、「第２パラメータ値」と称する。オペレータは、第２設定画面２００を用いた操作によって、第２座標平面２０５上で定位画像３００の位置を変更することにより、サラウンドパンを制御するためのパラメータ情報を、設定及び変更できる。従って、オペレータは、各スピーカ４００〜４０４の位置と定位画像３００の位置との相互関係を視覚的に確認しながら、サラウンドパンの位置を制御できる。
【００２６】
ミキサ１０は、前記パラメータ情報を設定及び変更するためのＧＵＩ画面として、前記第１設定画面１００又は前記第２設定画面２００の何れを、利用することもできる。且つ、ミキサ１０は、詳しくは後述する通り、前記第１設定画面１００又は前記第２設定画面２００の何れかで設定された第１座標系又は第２座標系の一方で表現されたパラメータ情報を、前記第１座標系又は前記第２座標系の他方で表現されたパラメータ情報に変換できる。パラメータ情報が或る座標系から他の座標系に従う形式に変換された場合、ミキサ１の表示部１３に表示される設定画面は、該他の座標系に特有の設定画面に切り替わる。例えば、第１パラメータ値のパラメータ情報を第２パラメータ値のパラメータ情報に変換する場合、表示部１３に表示される設定画面は、第１設定画面１００から第２設定画面２００に切り替わり、オペレータは、その第２設定画面２００を用いた操作によって、前記変換された第２パラメータ値のパラメータ情報を、更に変更できる。
【００２７】
なお、第１設定画面１００及び第２設定画面２００は、図２（ａ），（ｂ）に示した構成要素の他にも、例えば各種ボタン画像や、カーソル画像、サラウンドパンの現在位置を数値表示する表示部など、図示外の構成要素を適宜備えてよい。
【００２８】
図３は、ミキサ１０のハードウェア構成例を示すブロック図である。ミキサ１０は、中央処理装置（ＣＰＵ）１１、メモリ１２、表示部１３、操作部１４、信号処理部１５（ＭＩＸ部）を備える。ミキサ１０は、図示しない他の構成（通信Ｉ／Ｆ等）を適宜備えて良い。
【００２９】
ＣＰＵ１１、メモリ１２、表示部１３、操作部１４およびＭＩＸ部１５は、通信バス１６を介して接続され、ＣＰＵ１１と各部１２〜１５との間で各種制御信号を通信できる。また、ＭＩＸ部１５はマイクロフォンや再生装置等の入力機器、あるいはアンプやスピーカ等の出力機器との間でアナログオーディオ信号あるいはデジタルオーディオ信号を入力または出力できる。
【００３０】
ＣＰＵ１１は、メモリ１２に記憶された各種のプログラムを実行して、ミキサ１０の全体動作を制御する。メモリ１２は、ＣＰＵ１１が実行する各種のプログラムや各種のデータなどを不揮発に格納するほか、ＣＰＵ１１が実行するプログラムのロード領域やワーク領域に使用される。メモリ１２は、リードオンリーメモリ（ＲＯＭ）、ランダムアクセスメモリ（ＲＡＭ）、フラッシュメモリあるいはハードディスク等の各種メモリ装置を適宜組み合わせ構成してよい。前記プログラムは、前記図１に示す設定部２及び変換部３の動作を実行するためのプログラムを含む。前記図１に示す設定部２及び変換部３の動作は、ＣＰＵ１１が該プログラムを実行することにより実現される。
【００３１】
表示部１３は、例えば操作パネルに設けられた液晶ディスプレイおよび関連するインターフェース回路等であり、ＣＰＵ１１から与えられた表示制御信号に基づく各種情報を、各種画像や文字列等により表示する。この表示部１３に、前述した図２（ａ），（ｂ）に示す第１設定画面１００,第２設定画面２００が表示される。
【００３２】
操作部１４は、操作パネル上に配置された操作子群および関連するインターフェース回路等である。オペレータは、操作部１４の各種操作子を用いて各種パラメータの設定や変更のための操作を行う。ＣＰＵ１１は、オペレータによる操作部１４の操作に応じた検出信号を取得して、検出信号に基づいてミキサ１０の動作を制御する。
【００３３】
ＭＩＸ部１５は、例えばＤＳＰ（Digital Signal Processor）で構成する。ＭＩＸ部１５は、信号処理用のプログラムを実行することにより、図示しない入力機器から供給された１又は複数のオーディオ信号を信号処理して、該処理したオーディオ信号を図示しない出力機器へ出力する。ＭＩＸ部１５が実行する信号処理は、少なくとも複数のオーディオ信号を混合するミキシング処理を含む。また、この信号処理は、メモリ１２のワーキング領域に記憶された各種パラメータ値に基づいて制御される。
【００３４】
図４は、ミキサ１０の信号処理機能（モジュール）の構成を説明するブロック図である。図４に示す各モジュールの動作は、専らＭＩＸ部１５による信号処理により実現される。入力ｃｈ３０は、入力機器から供給されたオーディオ信号を受け取り、当該入力ｃｈ用に設定された各種パラメータの値に基づいて該オーディオ信号に対して音特性の調整等の処理を行う。
【００３５】
各入力ｃｈ３０は、それぞれ処理したオーディオ信号を、１又は複数のＭＩＸバス４０にパン３９を介して供給する。ミキサ１０は、複数（少なくとも本実施形態では５．１ｃｈサラウンドの各ｃｈに対応する６本）のＭＩＸバス４０を具備しており、各ＭＩＸバス４０は、後段の出力ｃｈ５０と１対１で対応付けられている。各ＭＩＸバス４０は、それぞれ供給された１又は複数の入力ｃｈ３０の出力信号を混合して、対応する１つの出力ｃｈ５０に供給する。
【００３６】
出力ｃｈ５０は、それぞれ対応するＭＩＸバス４０から供給されたオーディオ信号を、当該出力ｃｈ用に設定された各種パラメータの値に基づいて音特性の調整等の処理を行い出力機器に出力する。
【００３７】
ミキサ１０のサラウンドパン機能について説明する。ミキサ１０は、複数のＭＩＸバス４０のうち、サラウンド再生環境にて必要な数（例えば５．１ｃｈサラウンドの場合は６本）のＭＩＸバス４０をサラウンドｃｈ用バスとして利用する。入力ｃｈ３０のパン３９は、サラウンドパンを制御するモジュールとして機能する。
【００３８】
サラウンドｃｈ用バスとして利用される６本のＭＩＸバス４０には、それぞれ、前方左（ＦＬ）、前方中央（ＦＣ）、前方右（ＦＲ）、後方左（ＳＬ）、後方右（ＳＲ）及びＬＦＥの各サラウンドｃｈが対応する。入力ｃｈ３０のパン３９は、メモリ１２のワーキング領域に保持されている、当該入力ｃｈのパン３９を制御するパラメータ情報の値に基づいて、ＦＬ、ＦＣ、ＦＲ、ＳＬ、及びＳＲに対応する５本のサラウンドｃｈ用バスへのオーディオ信号の送出レベルを調整することにより、各バスに対応するサラウンドｃｈ相互の音量バランスを制御する。なお、ＬＦＥｃｈ用のバスへの送出レベルは、ＬＥＦｃｈ単体で調整される。メモリ１２のワーキング領域には、複数の入力ｃｈ３０のそれぞれに対応して、パン３９を制御するパラメータ情報の値が記憶される。
【００３９】
パン３９を制御するためのパラメータ情報は、前述の通り、第１座標系で表現された第１パラメータ値（横軸１１０方向の値ｘ，縦軸１２０方向の値ｙ）あるいは第２座標系で表現された第２パラメータ値（距離ｒ，角度θ）のいずれかの形式で表現される。ＣＰＵ１１は、第１設定画面１００を用いてサラウンドパンの現在位置を設定した場合は、第１パラメータ値をメモリ１２のワーキング領域に記憶し、他方、第２設定画面２００を用いてサラウンドパンの位置を設定した場合は、第２パラメータ値をメモリ１２のワーキング領域に記憶する。なお、別の実施形態において、各入力ｃｈ３０のパン３９を制御するためのパラメータ情報として、第１座標系で表現された第１パラメータ値、及び、第２座標系で表現された第２パラメータ値の両方が同時に、メモリ１２のワーキング領域に記憶されてもよい。
【００４０】
なお、パン３９を制御するためのパラメータ情報には、その情報が第１パラメータ値及び第２パラメータ値の何れの形式で表現されているかを識別する識別情報が付加されている。ＣＰＵ１１は、前記識別情報に基づいて、パラメータ情報が第１パラメータ値及び第２パラメータ値の何れの形式で表現されているかを識別して、識別結果に応じた処理を行う。識別結果に応じた処理としては、例えば、表示部１３に第１設定画面１００又は第２設定画面２００の何れかを表示する処理、表示した設定画面の座標系におけるパラメータ情報に対応する位置に定位画像３００を表示する処理、あるいは、パン３９における６本のサラウンドｃｈ用バス４０へのオーディオ信号の送出レベル指示値を決定する処理等を、ＣＰＵ１１は行う。
【００４１】
次に、第１設定画面１００又は第２設定画面２００を用いて、サラウンドパンを制御するためのパラメータ情報を設定及び変更する手順を説明する。オペレータは、操作部１４の操作子を用いて、複数の入力ｃｈ３０の中から、サラウンドパンを設定したい１つの入力ｃｈ３０を選択して、該選択した入力ｃｈ３０に関するサラウンドパン機能を起動させる指示する。サラウンドパン機能の起動を指示に応じて、ＣＰＵ１１は該選択した入力ｃｈ３０に関する第１設定画面１００又は第２設定画面２００を、表示部１３に表示する。表示部１３に第１設定画面１００又は第２設定画面２００の何れが表示されるかは、オペレータにより任意に選択できてもよいし、あるいは、当該機能起動時には第１設定画面１００又は第２設定画面２００の何れか一方が固定的に表示されるものと決められていてもよい。あるいは、例えば、メモリ１２のワーキング領域に記憶されているパラメータ情報に付加されている識別情報に基づいて、ＣＰＵ１１が、第１設定画面１００又は第２設定画面２００の何れか一方を自動的に選択してもよい。以下、一例として、表示部１３に第１設定画面１００が表示される場合を説明する。
【００４２】
オペレータが、サラウンドパンを設定したい入力ｃｈ３０を選択して、サラウンドパン機能の起動を指示すると、ＣＰＵ１１は、オペレータにより選択された入力ｃｈ３０に関する第１設定画面１００を表示部１３に表示すると共に、第１設定画面１００の第１座標平面１０５に、メモリ１２のワーキング領域に記憶されたパラメータ情報に基づいて定位画像３００を表示する。なお、メモリ１２のワーキング領域には、パラメータ情報として、第１座標系で表現された第１パラメータ値が、記憶されているものとする。
【００４３】
オペレータが、操作部１４を用いて、第１座標平面１０５上の定位画像３００の位置を変更する操作を行った場合、ＣＰＵ１１は、オペレータによる前記変更する操作に応じて、定位画像３００の新たな位置を特定し、該特定した位置に対応する第１パラメータ値により、ワーキング領域の該当する入力ｃｈ３０のパラメータ情報を、上書き更新し、且つ、当該更新したパラメータ情報に基づいて定位画像３００を前記特定した新たな位置に表示する。
【００４４】
前記定位画像３００の位置を変更する操作は、例えば、左右方向（図２（ａ）における横軸１１０の方向）及び前後方向（図２（ａ）における縦軸１２０の方向）への方向指示可能なカーソルキー、マウス操作子、トラックパッド、回転操作型のノブ操作子、ジョイスティックなど、適宜の操作子を用いて行う。一例として、回転軸方向への押し込み操作可能なプッシュ機能付きノブ操作子を用いることができる。プッシュ機能付きノブ操作子を用いて、第１座標系で表現された第１パラメータ値にてサラウンドパンの位置を調整する場合、例えば、ＣＰＵ１１は、オペレータがノブ操作子を押し込んだ状態で回転操作した場合には、その回転操作に応じて、第１パラメータ値のうち横軸１１０方向の値（以下「左右位置」ともいう）ｘを変更し、他方、ノブ操作子を押し込まずに回転操作させた場合には、ＣＰＵ１１は、該回転操作に応じて、第１パラメータ値のうち縦軸１２０方向の値（以下「前後位置」ともいう）ｙを変更する。プッシュ機能付きノブ操作子を用いることにより、サラウンドパンの位置を表す２つの値を、１つの操作子のみの操作により調整することができる。
【００４５】
次に、図５〜図７を参照して、表示部１３に表示された第１設定画面１００において設定された第１座標系で表された第１パラメータ値のパラメータ情報を、第２座標系で表された第２パラメータ値のパラメータ情報に変換する手順を説明する。変換する手順は、例えばオペレータの指示に応じて実行される。オペレータが座標系を切り替える指示を行った場合、ＣＰＵ１１は、オペレータの指示に応じて、現在表示部１３に表示されている第１設定画面１００に対応する入力ｃｈ３０に関する、第１パラメータ値（左右位置ｘ，前後位置ｙ）のパラメータ情報を、メモリ１２のワーキング領域から読み出して、該読み出した第１パラメータ値のパラメータ情報を、第２座標系で表された第２パラメータ値（距離ｒ，角度θ）のパラメータ情報に変換する処理を行う。第１パラメータ値のパラメータ情報を、第２座標系で表された第２パラメータ値に変換する方法の詳細は、後述する。ＣＰＵ１１は、変換処理により取得した第２パラメータ値を、メモリ１２のワーキング領域に記憶すると共に、表示部１３に表示する設定画面を、当該入力ｃｈ３０に関する第１設定画面１００から当該入力ｃｈ３０に関する第２設定画面２００に切り替えて、該第２設定画面２００の第２座標平面２０５上の、該第２パラメータ値のパラメータ情報に基づく位置に、定位画像３００を表示する。
【００４６】
表示部１３に表示する設定画面が、当該入力ｃｈ３０に関する第１設定画面１００から当該入力ｃｈ３０に関する第２設定画面２００に切り替わった後、オペレータは、操作部１４を用いて第２座標平面２０５上の定位画像３００の位置を変更することにより、前記変換された第２座標系で表現された第２パラメータ値にて、サラウンドパンの定位を設定および変更できる。ＣＰＵ１１は、オペレータによる前記変更する操作に応じて、メモリ１２のワーキング領域の該当する入力ｃｈ３０のパラメータ情報を更新し、当該パラメータ情報に基づいて第２設定画面２００に定位画像３００を表示する。前述したプッシュ機能付きノブ操作子を用いて、第２座標系で表現された第２パラメータ値にてサラウンドパンの定位を調整する場合、ＣＰＵ１１は、例えば、ノブ操作子が押し込んでから回転された場合には、その回転操作に応じて、第２パラメータ値のうち距離ｒの値を制御し、他方、ノブ操作子を押し込まずに回転させた場合には、その回転操作に応じて、第２パラメータ値のうち角度θの値を制御する。
【００４７】
これにより、例えば、オペレータが第１設定画面１００を用いて第１座標系（直交座標系）で表現されたパラメータ値を設定する一方で、そのサラウンドパンの設定を実際に使用するスピーカ配置方法が、第２座標系（極座標系）で表現されるITU-R BS.775-3規格に従う円形状の配置である、という状況において、第１座標系で表現された第１パラメータ値を、第２座標系で表現された第２パラメータ値に簡単に変換することができ、実際に使用するスピーカ配置方法に合った第２設定画面２００を用いてサラウンドパンを表示、設定及び変更することができる。
【００４８】
次に、第１座標系で表現された第１パラメータ値を、第２座標系で表現された第２パラメータに変換する方法の一具体例について説明する。説明の便宜上、第１座標平面１０５上の座標を「Ｐ１」、第２座標平面２０５上の座標を「Ｐ２」とする。第１座標平面１０５と第２座標平面２０５とでは想定する再生環境の形状（座標平面の形状）が異なっているので、第１座標系で表現された第１パラメータ値（左右位置ｘ，前後位置ｙ）を、単純に原点１１５からの距離及び角度に変換するだけでは、第１座標平面１０５内の全ての座標Ｐ１を、第２座標平面２０５の座標Ｐ２で表現することはできない。この点に鑑みて、ミキサ１０のＣＰＵ１１は、以下に述べる方法により、第１座標平面１０５の内の全ての座標Ｐ１（ｘ，ｙ）を、第２座標平面２０５の座標Ｐ２（ｒ，θ）で表現できるように、第１パラメータ値を第２パラメータ値に変換する処理を行う。
【００４９】
先ず、第１パラメータ値から第２パラメータ値の角度θを取得する方法の一例について説明する。図５は、座標平面１０５と座標平面２０５とを重ね合わせて示す。図５に示す通り、座標平面１０５の原点１１５の座標を（０，０）とすると、線分ＯＰと横軸とがなす角度θ´は、下記式１により求められる。
【数１】
2015179986.tif 000003
式１により求めた角度θ´に対応する、第２座標系で表現されたθは下記式２のようにθ´の関数として表すことができる。
【数２】
2015179986.tif 000004
【００５０】
関数ｆの一例について図６および図７を用いて説明する。図６（ａ），（ｂ）の第１設定画面１００及び第２設定画面２００において、中央位置を原点「Ｏ」、ＦＣｃｈ用スピーカの位置を点「Ａ」、ＦＬｃｈ用スピーカの位置を点「Ｂ」、ＳＬｃｈ用スピーカの位置を点「Ｃ」、ＦＣｃｈ用スピーカから１８０度の位置を点「Ｄ」、ＳＲｃｈ用スピーカの位置を点「Ｅ」、ＦＲｃｈ用スピーカの位置を点「Ｆ」とする。
【００５１】
図６（ａ）に示す通り、第１設定画面１００において、点Ａの位置を０度（基準線）とすると、点Ｂは該基準線から左側へ４５度、点Ｃは該基準線から左側へ１３５度、点Ｄは該基準線から１８０度、点Ｆは該基準線から右側へ４５度、点Ｅは該基準線から右側へ１３５度の位置にある。すなわち、各点Ａ〜点Ｆの基準線に対する角度θ´は、点Ａから右回りに、点Ａ＝０度（３６０度）、点Ｂ＝４５度、点Ｃ＝１３５度、点Ｄ＝１８０度、点Ｅ＝２２５度、点Ｆ＝３１５度である。
【００５２】
一方、第２設定画面２００は、前述の通りTU-R BS.775-3規格に従うスピーカ歯位置を想定しているので、点Ｃを基準線（点Ａ）から左側へ１２０度、点Ｅを基準線から右側へ１２０度とすると、第２設定画面２００の点Ａ〜点Ｆの基準線に対する角度θは、図６（ｂ）に示す通り、点Ａから右回りに、点Ａ＝０度（３６０度）、点Ｂ＝３０度、点Ｃ＝１２０度、点Ｄ＝１８０度、点Ｅ＝２４０度、点Ｆ＝３３０度となる。
【００５３】
図６（ａ）に示した第１座標系で表現された点Ａ〜点Ｆの角度θ´と、図６（ｂ）で示した第２座標系で表現された点Ａ〜点Ｆの角度θとの対応関係を規定することにより関数ｆが定義される。図７は、図６に示した点Ａ〜点Ｆの角度θ´と角度θとの対応関係を示す。図７において横軸は第１座標系での角度θ´、縦軸は第２座標系での角度θを示す。図７に示す点Ａ〜点Ｆを補間（例えば直線補間）することにより、０度から３６０度までの全ての角度θ´と、０度から３６０度までの全ての第２座標系の角度θとの対応関係が規定され、関数ｆが定義される。例えば、点Ｃに対応するθ´＝１３５の場合、ｆ（θ´）＝１２０となる。
【００５４】
例えば、ミキサ１０の適宜のメモリ１２に、図７に示す関数ｆに対応するデータテーブル又は計算式（プログラム）を予め記憶しておく。ＣＰＵ１１は、該データテーブル又は計算式を用いて、角度θ´に対応する角度θを取得する。このように、ミキサ１０のＣＰＵ１１は、上記式１により、第１座標系で表された第１パラメータ値に基づく角度θ´を求め、そして、図７に示す関数ｆから、角度θ´に対応する角度θを取得する。
【００５５】
次に、第１パラメータ値から第２パラメータ値の距離ｒを取得する方法の一例について説明する。前述の図５に示す通り、第１座標系上の原点１１５から任意の座標Ｐ１（ｘ，ｙ）までの距離をｒ´とすると、ｒ´は、下記式３によって表される。
【数３】
2015179986.tif 000005
式３により求めた距離ｒ´に対応する第２座標系での距離ｒは下記式４のようにｒ´の関数として表すことができる。
【数４】
2015179986.tif 000006
ここで、「Ｗ」は第２座標平面２０５の半径（言い換えれば第１座標平面１０５における値域）に対応する固定値である。また。「Ｒ」は、原点Ｏから座標Ｐを通り、第１座標平面１０５の辺に交わる線分（すなわち第１座標平面１０５の辺に接する線分ＯＰの延長線）の長さを表す。Ｒの値は、前述のθ´、つまり座標Ｐ１（ｘ，ｙ）に応じてＷ（θ´＝０度または９０度）からＷ√２（θ´＝４５度）の範囲で変化する。図５から明らかなように、第１座標平面１０５の座標Ｐ１のｘ又はｙの少なくとも一方が最大値のとき（つまり座標Ｐが第１座標平面１０５の辺の上に位置するとき）、ｒ´＝Ｒとなる。上記の式４によれば、ｒ´＝Ｒの場合に、Ｇ（ｒ´）＝Ｗとなる。すなわち、式４で示した関数ｇは、ｒ´にＲに対するＷの比を乗算することで、ｒ´を第２座標系の範囲内（半径Ｗの範囲）に収まるｒに変換する。例えば、ミキサ１０の適宜のメモリ１２に、式４に示す関数Ｇに対応するデータテーブル又は計算式（プログラム）を予め記憶しておく。ＣＰＵ１１は、該データテーブル又は計算式を用いて、距離ｒ´に対応する距離ｒを取得する。このように、ミキサ１０のＣＰＵ１１は、上記式３により第１座標系で表された第１パラメータ値に基づく距離ｒ´を求め、そして、上記式４に示す関数ｇから、距離ｒ´に対応する距離ｒを取得する。
【００５６】
以上説明した方法により、第１座標平面１０５の範囲内の全ての座標に対応する第１パラメータ値を、第２座標系に従う形式の第２パラメータ値（ｒ，θ）に変換できる。
【００５７】
ここまでの説明では、第１座標系（直交座標系）で表された第１パラメータ値（ｘ、ｙ）を第２座標系（極座標系）で表された第２パラメータ値（ｒ、θ）に変換することを説明したが、第２座標系で表された第２パラメータ値（ｒ、θ）を第１座標系で表された第１パラメータ値（ｘ、ｙ）に変換することもできる。すなわち、表示部１３に第２設定画面２００が表示されているときに、オペレータが座標系を切り替える指示を行うと、ＣＵＰ１１は、該指示に応じて、現在表示部１３に表示されている第２設定画面２００に対応する入力ｃｈ３０に関する、第２パラメータ値（ｒ，θ）のパラメータ情報を、メモリ１２のワーキング領域から読み出して、該読み出した第２パラメータ値のパラメータ情報を、第１座標系で表された第１パラメータ値（ｘ，ｙ）のパラメータ情報に変換する処理を行う。この場合、例えば、図６の関数ｆから、第２座標系での角度θに対応する第１座標系での角度θ´を取得することができる。また、第２座標系の距離ｒに対応する第１座標系での距離ｒ´は、下記の式５より、ｒの関数として表すことができる。
【数５】
2015179986.tif 000007
前記距離ｒ´及び角度θ´に対応する第１座標系の第１パラメータ値は、ｘ＝r´ cosθ´,ｙ＝r´ sinθ´で表すことができる。そして、ＣＰＵ１１は、前記変換の結果として取得した第１座標系で表された第１パラメータ値（ｘ、ｙ）のパラメータ情報を、メモリ１２のワーキング領域に記憶すると共に、表示部１３に表示する設定画面を、当該入力ｃｈ３０に関する第２設定画面２００から当該入力ｃｈ３０に関する第１設定画面１００に切り替えて、該第１設定画面１００の第１座標平面１０５に、該変換された第１パラメータ値のパラメータ情報に基づく定位画像３００を表示する。オペレータは、表示部１３に表示された第１設定画面１００を用いたオペレータ操作により、第１座標系で表した第１パラメータ値のパラメータ情報を、更に変更できる。
【００５８】
以上説明した通り、本実施例のミキサ１０によれば、第１座標系で表された第１パラメータ値、及び、第２座標系で表された第２パラメータ値のいずれを用いても、サラウンドパンを制御するパラメータ情報を設定できる。このため、多様なスピーカ配置方法や再生環境に合わせて簡単に、パラメータ情報を設定することができる。従って、サラウンドパンを設定する機能の使い勝手を向上する。例えば、オペレータは、或る座標系で設定されたパラメータ値を、例えば実際に使用するスピーカの配置方法により近い座標系に従う形式に変換して、実際に使用するスピーカの配置方法に合わせたより簡単な、サラウンドパンの制御を行うことができる。
【００５９】
また、本実施例において、第１設定画面１００を直交座標系に特有の設定画面により構成したことにより、直交座標系のサラウンドパン設定画面を採用した従来のミキサ（例えば非特許文献１に記載されたサラウンドパン機能を有するミキサ）とのデータ互換性を確保できる。従って、例えば、ミキサ１０は、直交座標系のサラウンドパン設定画面を採用した従来のミキサで設定した第１パラメータ値（直交座標系）のパラメータ情報を、簡単に第２座標系で表した第２パラメータ値のパラメータ情報に変換できる。従って、本実施例は、直交座標系で設定した過去のパラメータ情報との互換性の確保と、スピーカ配置方法に合わせたデータ変換による過去データの使い勝手の向上という点でも、優れた効果を奏する。
【００６０】
なお、第１座標系の角度θ´と、第２座標系の角度θとの対応関係を規定する関数ｆの定義は、図７の例に限らない。図８は、関数ｆの定義の変形例を説明する図である。図８に示す座標平面２０５（第２座標系）は、前方中央ｃｈ用スピーカ４０１に対応する点Ａを該基準線から０度、前方左ｃｈ用スピーカ４００に対応する点Ｂを該基準線から左側へ４５度、後方左ｃｈ用スピーカ４０３に対応する点Ｃを該基準線から左側へ１３５度、点Ｄを該基準線から１８０度、後方左ｃｈ用スピーカ４０４に対応する点Ｆを該基準線から右側へ４５度、及び、前方右ｃｈ用スピーカ４０２に対応する点Ｅを該基準線から右側へ１３５度に、それぞれ対応付ける。この場合、例えば、点Ｃに対応するθ´＝１３５の場合、ｆ（θ´）＝１３５となる。すなわち、この場合、前述した式１により求めた第１座標系に従う形式の角度θ´は、第２座標系で表現された角度θとしてそのまま利用できるので、角度θ´を角度θに変換する処理がより簡単になる。
【００６１】
なお、前記図５〜前記図７を参照して説明した第１パラメータ値を第２パラメータに変換する処理の詳細は、一例に過ぎない。変換方法は、第１パラメータ値を第２パラメータに変換できさえすれば、どのような方法でもよい。
【００６２】
なお、前述の実施例は、第１設定画面１００又は第２設定画面２００でパラメータ値を設定した後に、オペレータの指示に応じて手動で変換処理を実行することを説明したが、変換処理を実行するタイミングは、オペレータの指示があった場合に限らない。一例として、ＣＰＵ１１は、第１設定画面１００又は第２設定画面２００を表示部１３に表示する際に、メモリ１２のワーキング領域に記憶されたパラメータ情報が第１座標系及び第２座標系の何れで表現されたものかを識別し、パラメータ情報の座標系が今回表示すべき設定画面の座標系と一致しないときに、パラメータ情報の座標系を設定画面の座標系に自動的に変換処理を実行してよい。
【００６３】
なお、前述した実施例においては、第１設定画面１００は、直交座標系（第１座標平面１０５）に対応付けた再生環境を正方形状で表現する構成、第２設定画面２００は、極座標系（第２座標平面２０５）に対応付けた再生環境を略円形上で表現する構成としたが、第１設定画面１００及び第２設定画面２００に示す再生環境は、それぞれ、正方形状乃至円形状に限らず、どのような平面形状で表現されていてもよい。また、それぞれ異なる座標系（直交座標系と極座標系）に対応付けた再生環境が、共通の形状で表現されてもよい。
【００６４】
なお、前述の実施例では、第１設定画面１００の第１座標系が左右位置ｘと前後位置ｙとの２値により第１パラメータ値を表す直交座標系、第２設定画面２００の第２座標系が距離ｒと角度θとの２値により第２パラメータ値を表す極座標系である例を説明したが、互いに異なる座標系でさえあれば、どのようなタイプの座標系を適用してもよい。また、本発明における座標系とは想定するスピーカ配置（再生環境）も関連するものであり、第１設定画面１００の第１座標系と第２設定画面２００の第２座標系とが共通する表現であってもよい。例えば、第１座標系を図６（ｂ）に示すスピーカ配置でなる極座標系とし、第２座標系を図８に示すスピーカ配置でなる極座標系として良い。
【００６５】
なお、前述の実施例では、パラメータ情報を設定する第１座標系及び第２座標系のいずれも２値の組み合わせで座標を特定する平面座標系であるが、パラメータ情報を設定する座標系は、例えば３次元座標系など、２次元座標系以外であってもよい。
【００６６】
なお、前述の実施例では、第１設定画面１００（第１座標系）と第２設定画面２００（第２座標系）とにより、互いに異なる２つの座標系が用意される構成を説明したが、本発明において、パラメータ値を設定するための座標系は、２以上の複数個用意されていてもよい。座標系の選択肢を多数用意しておくことにより、より多様なスピーカ配置方法に適した設定画面を提供することができる。
【００６７】
なお、前述の実施例では、設定部２が、ＧＵＩ画面を用いたユーザ操作によりパラメータ値を表示、設定及び変更できるように構成された第１設定画面１００及び第２設定画面２００である例を説明したが、設定部２はＧＵＩ画面を用いた構成に限らない。設定部２は、例えば、文字、数字のみを表示できる簡素な表示部と、パラメータ値を増減調整する物理的操作子とを用いて、ユーザ操作によってパラメータ情報を可変設定しうるように構成されてもよい。
【００６８】
なお、前述の実施例は、サラウンド再生環境として「５．１ｃｈサラウンド」を想定し、５．１ｃｈサラウンド用のサラウンドパンを設定することを説明したが、本発明は、例えば「３．１ｃｈサラウンド」や、「６．１ｃｈサラウンド」など、任意のチャンネル数のサラウンド再生環境におけるサラウンドパン設定に適用することができる。また、いわゆるサラウンド再生環境に限らず、例えば、２ｃｈステレオ再生や４ｃｈステレオ再生など、どのような再生環境におけるオーディオ信号の定位を制御するためのパラメータ情報を設定するオーディオ定位設定装置にも、本発明を適用できる。
【００６９】
なお、前述の実施例では、本発明のオーディオ定位設定装置を、デジタルオーディオミキシング装置に適用した一実施形態について説明したが、本発明のオーディオ定位設定装置は、例えば汎用のパーソナルコンピュータにて実行されるソフトウェアプログラムや、デジタルオーディオ信号に対する信号処理を制御するための制御装置など、オーディオ信号の定位を制御する機能を含むどのような装置にも適用できる。また、本発明は、オーディオ信号の定位を制御するためのパラメータ情報を設定する設定方法の発明として構成及び実施することもできる。また、本発明は、コンピュータに、オーディオ信号の定位を制御するためのパラメータ情報を設定する処理を実行させるプログラムの発明として構成及び実施することもできる。
【００７０】
なお、本発明の設定装置は、複数チャンネルのオーディオ信号の定位を制御するためのパラメータ情報を設定する用途に限らず、互いに異なる少なくとも２つの座標系のうち１つの座標系に従う形式でパラメータ情報を設定する設定装置であれば、どのような用途の設定装置にも適用できる。本発明は、例えば、オーディオ信号処理の１機能であるコンプレッサを制御するためのパラメータ情報（例えばレシオとゲインとの２つの項目）の設定や、イコライザを制御するためのパラメータ情報（例えば周波数帯とゲインとの２つの項目）の設定に適用し得る。
【符号の説明】
【００７１】
１  定位設定装置、１０  ミキサ、１１  ＣＰＵ、１２  メモリ、１３  操作部、１４  表示部、１５  ＭＩＸ部、３０  入力チャンネル、３９  サラウンドパン、４０  ＭＩＸバス、５０  出力チャンネル、１００  第１設定画面、１０５  第１座標平面、１１５  原点、１１０  横軸、１２０  縦軸、２００  設定画面、２０５  座標平面、２１０  原点、２２０  基準線、３００  定位画像、４００〜４０５  スピーカ
【図１】
2015179986.tif 000008
【図２】
2015179986.tif 000009
【図３】
2015179986.tif 000010
【図４】
2015179986.tif 000011
【図５】
2015179986.tif 000012
【図６】
2015179986.tif 000013
【図７】
2015179986.tif 000014
【図８】
2015179986.tif 000015
【図９】
2015179986.tif 000016